(57)【要約】【課題】容器体内の内容物を載置部上に載置するに際し、この内容物を所望の形状に造形する。【解決手段】容器体内から吐出された吐出物が載置される載置部１１と、載置部１１から突出した把手部１２と、を備え、載置部１１は、吐出物を通過させることで造形片に成形する成形孔１３、１４と、この成形孔１３、１４が開口し、造形片が載置される造形面１５と、を有する。【選択図】図１
2018203285.tif 000002
【特許請求の範囲】
【請求項１】
容器体内から吐出された吐出物が載置される載置部と、前記載置部から突出した把手部と、を備え、
前記載置部は、前記吐出物を通過させることで造形片に成形する成形孔と、この成形孔が開口し、前記造形片が載置される造形面と、を有することを特徴とする造形用スパチュラ。
【請求項２】
前記把手部に、前記載置部を着脱可能に保持する第１保持部が配設されていることを特徴とする請求項１に記載の造形用スパチュラ。
【請求項３】
内容物が収容される容器本体を有する容器体と、
請求項１または２に記載の造形用スパチュラと、を備える造形容器であって、
前記容器体は、内容物を吐出する第１吐出口と、この第１吐出口における開口周縁部に前記載置部を着脱可能に保持する第２保持部と、を有することを特徴とする造形容器。
【請求項４】
前記造形用スパチュラが取り外された前記容器体に着脱可能に装着されるとともに、前記第１吐出口からの吐出物を吐出する第２吐出口を有する吐出栓を備えることを特徴とする請求項３に記載の造形容器。
【請求項５】
前記容器本体は弾性変形可能に形成されていることを特徴とする請求項３または４に記載の造形容器。
【発明の詳細な説明】
【技術分野】
【０００１】
本発明は、造形用スパチュラおよび造形容器に関する。
【背景技術】
【０００２】
従来から、例えば下記特許文献１に示されるように、載置部と把手部とを備えるとともに、容器体内の内容物をすくう等して取り出すスパチュラが知られている。
【先行技術文献】
【特許文献】
【０００３】
【特許文献１】特開２０１３−１３３１３６号公報
【発明の概要】
【発明が解決しようとする課題】
【０００４】
しかしながら、前記従来のスパチュラでは、容器体内の内容物を載置部上に載置するに際し、この内容物を所望の形状に造形することができなかった。
なお、内容物が、例えば化粧料、食品、若しくは入浴剤等の場合に、特に内容物を所望の形状に造形して載置部に載置することの要望があると考えられる。
【０００５】
本発明は、前述した事情に鑑みてなされたものであって、容器体内の内容物を載置部上に載置するに際し、この内容物を所望の形状に造形することができる造形用スパチュラおよび造形容器を提供することを目的とする。
【課題を解決するための手段】
【０００６】
本発明は、上記課題を解決するために以下のような手段を採用した。すなわち、本発明の造形用スパチュラは、容器体内から吐出された吐出物が載置される載置部と、前記載置部から突出した把手部と、を備え、前記載置部は、前記吐出物を通過させることで造形片に成形する成形孔と、この成形孔が開口し、前記造形片が載置される造形面と、を有することを特徴とする。
【０００７】
本発明によれば、載置部を、容器体における吐出口の開口周縁部に配置した状態で、容器体内の内容物を吐出口を通して吐出すると、この吐出物が、成形孔を通過して成形されることで造形片が形成され、この造形片が造形面上に載置される。
【０００８】
ここで、前記把手部に、前記載置部を着脱可能に保持する第１保持部が配設されてもよい。
【０００９】
この場合、把手部に、載置部を着脱可能に保持する第１保持部が配設されているので、例えば互いに成形孔の態様が異なる複数種の載置部を適宜選択して第１保持部に保持させることが可能になり、複数種の造形片を選択的に形成することができる。
【００１０】
また、本発明の造形容器は、内容物が収容される容器本体を有する容器体と、本発明の造形用スパチュラと、を備える造形容器であって、前記容器体は、内容物を吐出する第１吐出口と、この第１吐出口における開口周縁部に前記載置部を着脱可能に保持する第２保持部と、を有することを特徴とする。
【００１１】
本発明によれば、容器体が第２保持部を有しているので、容器本体内の内容物を第１吐出口を通して吐出したときに、載置部および第１吐出口の相対的な位置がずれるのを抑制することが可能になり、例えば造形片のゆがみが抑えられる等、造形片を高精度に形成することができる。
また、第２保持部が、載置部を着脱可能に保持するので、載置部の造形面上に造形片を載置した後に、造形用スパチュラを容器体から分離して単体で移動させることが可能になり、造形面上の造形片を所望の場所に容易に移行させることができる。例えば、造形面上に造形片を載置した後に、造形用スパチュラを液体が収容された収容体まで移動させ、造形片が載置された載置部を液体中に浸漬させることで、造形片の型崩れを抑えつつ、造形片を、液体が収容された収容体内に移行させることできる。
【００１２】
また、前記造形用スパチュラが取り外された前記容器体に着脱可能に装着されるとともに、前記第１吐出口からの吐出物を吐出する第２吐出口を有する吐出栓を備えてもよい。
【００１３】
この場合、容器体に対して、造形用スパチュラを取り外して吐出栓を取付けることにより、容器本体内の内容物を吐出栓の第２吐出口から例えば連続的に不定形の状態で取り出すことと、容器体に対して、吐出栓を取り外して造形用スパチュラを取付けることにより、容器本体内の内容物を載置部の造形面上の造形片として取り出すことと、を選択することが可能になり、優れた取扱い性を具備させることができる。
【００１４】
また、前記容器本体は弾性変形可能に形成されてもよい。
【００１５】
この場合、容器本体が弾性変形可能に形成されているので、例えば吐出器等を採用しなくても、容器本体を圧縮変形させることで、容器本体内の内容物を第１吐出口から吐出させることが可能になり、造形容器を低コストに抑えることができる。
【発明の効果】
【００１６】
この発明によれば、容器体内の内容物を載置部上に載置するに際し、この内容物を所望の形状に造形することができる。
【図面の簡単な説明】
【００１７】
【図１】本発明に係る一実施形態として示した造形用スパチュラの（ａ）上面図および（ｂ）側面図である。
【図２】本発明に係る一実施形態として示した造形容器の一部縦断面図である。
【図３】図１に示す造形用スパチュラを図２に示す容器体に装着し、造形面上で造形物を形成した状態を示す一部縦断面図である。
【図４】図３に示す造形用スパチュラを、収容体内の液体中に浸漬した状態を示す縦断面図である。
【図５】本発明に係る他の実施形態として示した造形用スパチュラの上面図である。
【発明を実施するための形態】
【００１８】
以下、図面を参照し、本発明の一実施形態について説明する。
本実施形態に係る造形用スパチュラ１は、図１および図３に示されるように、容器体２２内から吐出された吐出物が載置される載置部１１と、載置部１１から突出した把手部１２と、を備えている。図示の例では、造形用スパチュラ１はスプーンのような形状に形成されている。
【００１９】
載置部１１は、前記吐出物を通過させることで造形片に成形する複数の成形孔１３、１４と、これらの成形孔１３、１４が開口し、造形片が組み合わされた状態で載置される造形面１５と、複数の成形孔１３、１４が開口し、容器体２２内から吐出された吐出物が衝突する供給面１６と、を有する。載置部１１は円板状に形成されていて、その表裏面のうちの一方の面が造形面１５とされ、他方の面が供給面１６となっている。
【００２０】
以下、平面視円形状を呈する載置部１１の中央を通る中心軸線Ｏ１に沿う軸方向のうち、造形面１５側を上側といい、供給面１６側を下側という。また、軸方向から見た平面視において、中心軸線Ｏ１に直交する方向を径方向といい、中心軸線Ｏ１回りに周回する方向を周方向という。
載置部１１の下端部には、径方向の外側に向けて突出し、全周にわたって連続して延びる受板部１１ｄが形成されている。
【００２１】
成形孔１３、１４は、載置部１１の中央領域１１ａに形成された中央成形孔１３と、載置部１１のうち中央領域１１ａより径方向の外側に位置する外側領域１１ｂに形成された外側成形孔１４と、を備える。
なお、中央領域１１ａは、例えば載置部１１の中心軸線Ｏ１を中心とし、かつ直径が載置部１１の直径の約１／３〜１／２である円で囲まれた領域となっている。
【００２２】
中央成形孔１３は、載置部１１の中央領域１１ａに密集した状態で複数配置されている。複数の中央成形孔１３は、載置部１１の中央領域１１ａが前記平面視で格子状を呈するように、互いに直交する２方向に沿ってそれぞれ同ピッチで配置されている。
【００２３】
外側成形孔１４は、外側領域１１ｂに、全周にわたって周方向に等間隔をあけて複数形成されるとともに、径方向に間隔をあけて複数形成されている。外側成形孔１４は、軸方向から見た平面視で径方向の外側に向けて突となる円弧状を呈するスリット状に形成されている。なお、外側成形孔１４のスリット幅は、複数の中央成形孔１３のうち、前記平面視で矩形状を呈する中央成形孔１３の一辺の長さよりも小さくなっている。
【００２４】
前記平面視において、外側成形孔１４の曲率半径は、載置部１１の半径より小さく、外側成形孔１４の曲率中心は、中心軸線Ｏ１に対してこの外側成形孔１４側にずれて位置している。前記平面視において、径方向の外側に位置する外側成形孔１４の曲率半径が、径方向の内側に位置する外側成形孔１４の曲率半径より大きくなっている。径方向で互いに隣り合う外側成形孔１４のうち、一方の外側成形孔１４における径方向の外端部が位置する周方向に沿う位置と、周方向で互いに隣り合う他方の外側成形孔１４同士の間が位置する周方向に沿う位置と、が互いに一致している。
なお、中央成形孔１３および外側成形孔１４の形状および数等は、この構成に限定されるものではなく適宜変更してもよい。
【００２５】
把手部１２は、板状に形成されるとともに、載置部１１の外周側から上方に向けて延びている。把手部１２は、上方に向かうに従い漸次、径方向の外側に向けて延びている。把手部１２のうち、上端部は、径方向の内側に向けて突の曲面状に湾曲し、この上端部より下方に位置する部分は、表裏面が径方向を向く傾斜平板状に形成されている。
【００２６】
把手部１２に、載置部１１を着脱可能に保持する第１保持部１７が配設されている。
第１保持部１７は円環状に形成され、その内側に載置部１１が嵌合されている。第１保持部１７の下端開口縁に、載置部１１の受板部１１ｄの上面が当接している。第１保持部１７の上端開口縁は、載置部１１の造形面１５と面一となっている。第１保持部１７の外周縁部に、把手部１２の下端部が連結されている。第１保持部１７の外周縁部に、下方に向けて突出する突き当て突部１７ａが形成されている。突き当て突部１７ａおよび把手部１２はそれぞれ、第１保持部１７における周方向の同等に位置に配置されている。なお、突き当て突部１７ａの周方向の大きさは、把手部１２の周方向の大きさと同等になっているが、異ならせてもよい。第１保持部１７に突き当て突部１７ａを形成しなくてもよい。
【００２７】
次に、以上のように構成された造形用スパチュラ１が取付けられる造形容器２０について説明する。
【００２８】
造形容器２０は、図２および図３に示されるように、内容物が収容される容器本体２１を有する容器体２２を備えている。
容器本体２１は有底筒状に形成されている。以下、容器本体２１の横断面における中央を通る軸線を容器軸Ｏ２といい、容器軸Ｏ２に沿う方向を容器軸方向といい、容器軸方向から見た平面視において、容器軸Ｏ２に直交する方向を容器径方向といい、容器軸Ｏ２回りに周回する方向を容器周方向という。
容器本体２１は、口部２３、肩部２４、胴部２５および底部２６が、容器軸方向に沿ってこの順に連設されて構成されている。以下、容器軸方向に沿う口部２３側を上側といい、底部２６側を下側という。
【００２９】
容器本体２１は、薄肉のブローボトルとされ、少なくとも胴部２５は弾性変形可能に形成されている。なお、容器本体２１は、これに限らず例えば、チューブ容器等であってもよく、また、容器体２２として、例えばフォーマポンプ等を有するポンプ付容器、エアゾール容器、繰出容器、またはスライド押出容器等を採用してもよい。
【００３０】
容器体２２は、内容物を吐出する第１吐出口２２ａと、この第１吐出口２２ａにおける開口周縁部に造形用スパチュラ１の載置部１１を着脱可能に保持する第２保持部２７と、を有する。
第１吐出口２２ａは、容器本体２１の口部２３の内側となっている。口部２３の上端開口縁には、例えばアルミニウム合金等により形成された密封シート２１ａが離脱可能に貼り付けられている。
第２保持部２７は、容器本体２１の口部２３に装着されている。第２保持部２７は、容器本体２１の口部２３に外嵌された装着筒３１と、装着筒３１の上端開口縁に配設されたフック部３２と、を備える。装着筒３１の外周面に雄ねじ部が形成されている。装着筒３１の上端開口縁、および口部２３の上端開口縁それぞれの容器軸方向の位置は、互いに同等になっている。フック部３２は、装着筒３１の上端開口縁から上方に向けて突出した突部３２ａと、突部３２ａの上端部から容器径方向の内側に向けて突出する爪部３２ｂと、を備える。突部３２ａにおいて容器径方向の内側を向く内面は、装着筒３１の内周面に段差なく連なっている（図２の二点鎖線参照）。フック部３２は、装着筒３１に２つ配設され、容器軸Ｏ２を容器径方向に挟む各位置に一つずつ配設されている。２つのフック部３２は、容器径方向のうちの一方向で互いに対向している。このようなフック部３２を有する第２保持部２７は、金型構造を複雑にせず容易に形成することができる。なお、２つのフック部３２に代えて例えば、容器軸Ｏ２回りに半周程度延びる１つのフック部を採用してもよい。
【００３１】
造形容器２０は、図２に示されるように、造形用スパチュラ１が取り外された容器体２２に着脱可能に装着されるとともに、第１吐出口２２ａからの吐出物を吐出する第２吐出口２９ａを有する吐出栓２９を備える。吐出栓２９は、第２保持部２７に着脱可能に保持される。
吐出栓２９は、装着筒３１に着脱可能に螺着される螺着筒２９ｂと、螺着筒２９ｂの上端開口縁から上方に向かうに従い漸次、容器径方向の内側に向けて延びる吐出筒２９ｃと、を備える。第２吐出口２９ａは、吐出筒２９ｃの上端開口部となっている。吐出筒２９ｃのうち、下部は容器径方向の内側に向けて窪む凹曲面状に形成され、上部は容器径方向の外側に向けて突の曲面状に形成されている。吐出筒２９ｃの上部に、容器径方向に貫き容器軸方向に延びる縦孔２９ｄが容器周方向に間隔をあけて複数形成されている。複数の縦孔２９ｄは、第２吐出口２９ａから下方に向けて延びている。
【００３２】
螺着筒２９ｂに、吐出栓２９を覆うオーバーキャップ３０が着脱可能に外装されている。
なお、造形容器２０の態様としては、例えば図２に示されるような、容器体２２に吐出栓２９およびオーバーキャップ３０が組み付けられた組立体に、造形用スパチュラ１が付属した態様、あるいは、容器体２２にオーバーキャップ３０が組み付けられた組立体に、造形用スパチュラ１および吐出栓２９が付属した態様、容器体２２に造形用スパチュラ１が組み付けられた組立体に、吐出栓２９が付属した態様等がある。
【００３３】
次に、以上のように構成された造形容器２０の使用方法について説明する。
【００３４】
まず、吐出栓２９およびオーバーキャップ３０を第２保持部２７から取り外し、密封シート２１ａを容器本体２１の口部２３の上端開口縁から引き剥がして、第１吐出口２２ａを開放させる。
そして、容器体２２内の内容物を吐出栓２９の第２吐出口２９ａから吐出する場合には、吐出栓２９を再び第２保持部２７に装着し、その後、容器本体２１の胴部２５を容器径方向の内側に向けて押圧することで、内容物を第１吐出口２２ａ、吐出栓２９の内側および第２吐出口２９ａをこの順に通過させて吐出させる。
【００３５】
次に、造形用スパチュラ１を用いて、容器体２２内の内容物を載置部１１の造形面１５上の造形物Ｘとして取り出す場合について説明する。
吐出栓２９を第２保持部２７から取り外した状態で、造形用スパチュラ１および容器体２２を、前記平面視において前記一方向に直交する他方向に、互いに接近するように相対的にスライド移動させ、一対のフック部３２間に載置部１１および第１保持部１７を進入させる。これにより、載置部１１および第１保持部１７が、フック部３２の爪部３２ｂの下面と、口部２３の上端開口縁と、の間に挟まれる。この際、突き当て突部１７ａが、第２保持部２７の装着筒３１の外周面に当接する。以上より、造形用スパチュラ１および容器体２２の相対的な位置が決められる。
【００３６】
その後、容器本体２１を容器径方向の内側に向けて押圧して弾性変形させることで、内容物を第１吐出口２２ａから吐出させて供給面１６に到達させる。これにより、容器体２２からの吐出物が、複数の成形孔１３、１４を各別に通過して成形されることで、複数の造形片が形成され、これらの造形片が造形面１５上で組み合わされることで、造形物Ｘが形成される。したがって、成形孔１３、１４の形状を適宜変更することで、造形面１５上で種々の造形物Ｘを形成することができる。
そして、造形用スパチュラ１および容器体２２を、互いに離間するように相対的に前記他方向にスライド移動させることで、造形用スパチュラ１を第２保持部２７から取り外す。この際、供給面１６より下方に位置している内容物と、造形面１５上の造形物Ｘと、の間に、容器軸Ｏ２に交差する横方向のせん断力が加えられることで、造形物Ｘを、供給面１６より下方に位置している内容物に対して円滑に分断させることが可能になり、造形面１５上の造形物Ｘの型崩れを抑制することができる。
【００３７】
その後、この造形用スパチュラ１を、液体Ｌが収容された収容体Ｙまで移動させ、図４に示されるように、造形物Ｘが載置された載置部１１を液体Ｌ中に浸漬させることで、造形物Ｘの型崩れを抑えつつ、造形物Ｘを、液体Ｌが収容された収容体Ｙ内に移行させることができる。この際、造形物Ｘの比重が、収容体Ｙ内の液体Ｌの比重より軽い場合、造形物Ｘは液面上に浮遊する。
図示の例では、内容物として生クリーム等が挙げられ、造形物Ｘとして動物若しくは植物の形状等が挙げられ、収容体Ｙとしてコーヒー若しくはココア等が収容されたカップ等が挙げられる。この場合、技能を習得しなくても簡易な操作で高精度の造形物Ｘを収容体Ｙ内の液面に浮遊させることができる。
【００３８】
なお、内容物としては、例えば、生クリーム以外の他の食品、化粧料、若しくは入浴剤等であってもよく、また、収容体Ｙとしては、例えば風呂等であってもよい。また、前述のように造形物Ｘを収容体Ｙに移行させた後に、造形用スパチュラ１を、スプーンのように収容体Ｙの液体Ｌ中で掻き回してもよい。
【００３９】
以上説明したように、本実施形態による造形用スパチュラ１によれば、把手部１２に、載置部１１を着脱可能に保持する第１保持部１７が配設されているので、例えば互いに成形孔１３、１４の態様が異なる複数種の載置部１１を適宜選択して第１保持部１７に保持させることが可能になり、複数種の造形物Ｘを選択的に形成することができる。
【００４０】
また、本実施形態による造形容器２０によれば、容器体２２が第２保持部２７を有しているので、容器本体２１内の内容物を第１吐出口２２ａを通して吐出したときに、載置部１１および第１吐出口２２ａの相対的な位置がずれるのを抑制することが可能になり、例えば造形片のゆがみが抑えられる等、造形物Ｘを高精度に形成することができる。
また、第２保持部２７が、載置部１１を着脱可能に保持するので、載置部１１の造形面１５上で造形物Ｘを形成した後に、造形用スパチュラ１を容器体２２から分離して単体で移動させることが可能になり、造形面１５上の造形物Ｘを所望の場所に容易に移行させることができる。
【００４１】
また、造形容器２０が、容器体２２に着脱可能に装着される吐出栓２９を備えるので、容器体２２に対して、造形用スパチュラ１を取り外して吐出栓２９を取付けることにより、容器本体２１内の内容物を吐出栓２９の第２吐出口２９ａから例えば連続的に不定形の状態で取り出すことと、容器体２２に対して、吐出栓２９を取り外して造形用スパチュラ１を取付けることにより、容器本体２１内の内容物を載置部１１の造形面１５上の造形物Ｘとして取り出すことと、を選択することが可能になり、優れた取扱い性を具備させることができる。
また、容器本体２１が弾性変形可能に形成されているので、例えば吐出器等を採用しなくても、容器本体２１を圧縮変形させることで、容器本体２１内の内容物を第１吐出口２２ａから吐出させることが可能になり、造形容器２０を低コストに抑えることができる。
【００４２】
なお、本発明の技術範囲は、前述した実施形態に限定されるものではなく、本発明の趣旨を逸脱しない範囲において種々の変更を加えることが可能である。
【００４３】
例えば、前記実施形態では、中央成形孔１３および外側成形孔１４が形成された載置部１１を有する造形用スパチュラ１を示したが、これに限らず例えば、図５に示されるような、前記平面視で、径方向の外側に向けて尖るＶ字状を呈するスリット状に形成された成形孔３４が、周方向に間隔をあけて複数形成された載置部３５を有する造形用スパチュラ２を採用してもよい。図示の例では、複数の成形孔３４は、載置部３５の外側領域１１ｂに配置されていて、前記平面視において全体で星形状を呈する。
また、造形容器２０として、吐出栓２９を有しない構成を採用してもよい。
また、第２保持部２７のフック部３２を、容器本体２１と一体に形成してもよい。
また、装着筒３１を有しない第２保持部２７を採用し、吐出栓２９を、容器本体２１の口部２３に直接、着脱可能に装着してもよい。
例えば、前記実施形態では、載置部１１、３５に複数の成形孔１３、１４、３４を形成したが、載置部１１、３５に１つの成形孔１３、１４、３４を形成してもよい。
【００４４】
その他、本発明の趣旨を逸脱しない範囲で、前記実施形態における構成要素を周知の構成要素に置き換えることは適宜可能であり、また、前記変形例を適宜組み合わせてもよい。
【符号の説明】
【００４５】
１、２  造形用スパチュラ
１１、３５  載置部
１２  把手部
１３、１４、３４  成形孔
１５  造形面
１７  第１保持部
２０  造形容器
２１  容器本体
２２  容器体
２２ａ  第１吐出口
２７  第２保持部
２９  吐出栓
２９ａ  第２吐出口
【図１】
2018203285.tif 000003
【図２】
2018203285.tif 000004
【図３】
2018203285.tif 000005
【図４】
2018203285.tif 000006
【図５】
2018203285.tif 000007